(57)【要約】【課題】  室内機側配管に接続される接続用配管を室内機の左側面から導出する場合、室内機と天井との間に、室内機の前面を上方に向くように傾けるための所定以上の隙間がないと室内機を取り付けできなかった。【解決手段】  本発明は、室外機と室内機を有する空気調和機に用いられ、前記室内機の背面側かつ左右方向の一端側から引き出されている室内機側配管に繋げられる補助接続配管であって、  前記室内機側配管の先端が前記室内機の他端側に向けられた時に、先端が前記室内機の他端側より突出することを特徴とする補助接続配管である。【選択図】図１
2017172885.tif 000002
【特許請求の範囲】
【請求項１】
室外機と室内機を有する空気調和機に用いられ、前記室内機の背面側かつ左右方向の一端側から引き出されている室内機側配管に繋げられる補助接続配管であって、
前記室内機側配管の先端が前記室内機の左右方向の他端側に向けられた時に、先端が前記室内機の他端側より突出することを特徴とする補助接続配管。
【請求項２】
室外機と室内機を有する空気調和機であって、
前記室内機の背面側かつ左右方向の一端側から引き出され前記室内機の幅寸法よりも短い室内機側配管と、前記室外機に接続される主接続配管と、前記主接続配管と前記室内機側配管を繋ぐ補助接続配管とを有しており、
前記室内機側配管の先端を前記室内機の左右方向の他端側に向けた時、前記補助接続配管の先端が前記室内機の他端側より突出することを特徴とする空気調和機。
【発明の詳細な説明】
【技術分野】
【０００１】
本発明は空気調和機の室内機への接続用配管の接続に関するものである。
【背景技術】
【０００２】
空気調和機の室内機と室外機は、接続用配管で接続されている。なお、室内機の左右方向は室内機の前面を正面から見た時の方向である。室内機は、この接続用配管に接続される室内機側配管を備えている。この室内機側配管は室内機の筐体の背面のうち左右方向の右側部から引き出されている。この室内機側配管は本体の梱包時に邪魔にならないように、長さが短くされているため、室内機側配管の先端が室内機の左側より突出しない。そのため、室内機の据付位置に応じて、例えば室内機側配管を室内機の右側から導出する場合と、室内機側配管に接続用配管を接続し室内機の左側から導出する場合がある。
【０００３】
特許文献１に示すように、従来では室内機側配管を室内機の右側から導出する場合、室内機側配管の先端が室内機の右側よりも突出するため、室内機の本体背面の上側を壁に引っ掛けて、室内機の背面を壁に当接したまま室内機側配管と接続用配管を容易に接続できる。
【先行技術文献】
【特許文献】
【０００４】
【特許文献１】特開２００２−９８３５１号公報
【発明の概要】
【発明が解決しようとする課題】
【０００５】
室内機と室外機を接続用配管で接続する作業では一般的に、接続用配管を室外から室内へ引き込んでから作業を行う。さらに上述のように、室内機側配管の長さが短いため、室内機側配管に接続される接続用配管を室内機の左側から導出する場合、室内機の前面を上方に向くように傾けることで室内機の背面に作業スペースを確保して、この状態で室内機側配管と接続用配管の接続を行なっている。よって、接続用配管を室内機の左側から導出する場合は室内機と天井との間に、室内機の前面を上方に向くように傾けるための所定以上の隙間がないと室内機を取り付けできなかった。
【０００６】
本発明は、室内機と天井との間に所定以上の隙間が無くても、室内機側配管と接続用配管を接続できる空気調和機を提供することを目的とする。
【課題を解決するための手段】
【０００７】
本発明は、室外機と室内機を有する空気調和機に用いられ、室内機の背面側かつ左右方向の一端側から引き出されている室内機側配管に繋げられる補助接続配管であって、室内機側配管の先端が室内機の左右方向の他端側に向けられた時に、先端が室内機の他端側より突出することを特徴とする補助接続配管である。
【０００８】
また、本発明は、室外機と室内機を有する空気調和機であって、室内機の背面側かつ左右方向の一端側から引き出され室内機の幅寸法よりも短い室内機側配管と、室外機に接続される主接続配管と、主接続配管と室内機側配管を繋ぐ補助接続配管とを有しており、室内機側配管の先端を、室内機の左右方向の他端側に向けた時、補助接続配管の先端が室内機の他端側より突出することを特徴とする空気調和機である。
【発明の効果】
【０００９】
以上のような構成により、室内機の背面のうち左右方向の一端部にある室内機側配管の先端を他端側に向ける場合でも、室内機の他端側より配管が突出することができるため、室内機と天井との間に所定以上の隙間が無くても、室内機側配管と接続用配管を接続できる。
【図面の簡単な説明】
【００１０】
【図１】本実施形態の空気調和機の室内機の背面を示した図である。
【図２】本実施形態の空気調和機の左出しで接続された状態を示す概略図である。
【図３】本実施形態の空気調和機の右出しで接続された状態を示す概略図である。
【発明を実施するための形態】
【００１１】
以下に、本発明にかかる空気調和機の実施例を図面に基づいて詳細に説明する。なお、この実施例によりこの発明が限定されるものではない。
【００１２】
まず、本発明の実施例にかかる空気調和機１０の概略構成について、室内機１００の詳細は図１を基に、空気調和機１０は図２と図３を基に説明する。図１と図２に示すように、本実施例にかかる空気調和機１０は、壁４００によって室内と室外に区画される空間に設置され、そのうち室内に室内機１００を、室外に室外機２００を配置している。室内機１００は背面側から見た状態となっている。図１に示すように、室内機１００の右側に右側面１０１、左側に左側面１０２がある。この室内機１００と室外機２００は接続用配管によって繋がれている。室内機１００には、図示しない室内熱交換器がある。この接続用配管は、上述した室内熱交換器の右側、つまり室内機１００の背面側かつ室内機１００の右端側から引き出され９０度曲げられて先端が左側に向けられている室内機側配管１１０と、室外機２００から引き出されている室外機側配管２１０と、室内機側配管１１０と室外機側配管２１０を接続する接続配管３００を備えている。なお、室内機側配管１１０と室外機側配管２１０は液管１１１、２１１とガス管１１２、２１２をそれぞれ備えている。なお、室内機側配管１１０のうち９０度曲げられた箇所から先端までの長さＬ１は、図１に示すように室内機１００の左右方向の幅寸法Ｗよりも短く、室内機側配管１１０の９０度曲げられた箇所は室内機１００の右端よりＬ３離れている。
【００１３】
さらに、接続配管３００は主接続配管３１０と補助接続配管３２０を備えている。主接続配管３１０の一端３１０ａは室外機側配管２１０と接続される。なお、補助接続配管３２０の長さは図１に示すようにＬ２である。
【００１４】
初めに、設置者が室内機１００の左側面１０２から接続配管３００を導出する場合（所謂、左出しの場合）について図１と図２を基に説明する。補助接続配管３２０は、補助接続配管３２０の一端３２０ａが室内機側配管１１０と接続され、他端３２０ｂが主接続配管３１０と接続される。この時、室内機側配管１１０のうち９０度曲げられた箇所から先端までの長さと補助接続配管３２０の長さを合わせた長さはＬ１＋Ｌ２となり、室内機側配管１１０の９０度曲げられた箇所から室内機の左側面１０２までの長さ（Ｗ−Ｌ３）よりも長くなる。これにより、補助接続配管３２０の他端３２０ｂは室内機１００の筐体の左側面の外側かつ近傍に位置し、室内機１００を壁につけたまま作業する時に、設置者の手が届く距離にある。次に、設置者は、室内機１００の長手方向が水平に据付できるように、図示しない据付板を壁に固定する。そして、設置者は室内機１００の背面にある引っ掛け部１２１、１２２を据付板の上部に引っ掛けて、室内機１００の背面と据付板が接するように配置する。その後に、設置者は補助接続配管３２０と主接続配管３１０を繋げる。
【００１５】
このように、室内機１００の左側面１０２から接続配管３００を導出する場合では、室内機側配管１１０に補助接続配管３２０を繋げて配管を長くすることで、配管の先端３２０ｂが室内機１００より突出するため、補助接続配管３２０と主接続配管３１０を容易に接続でき、室内機１００と室外機２００の間で冷媒が行来できる。
【００１６】
次に、設置者が室内機１００の右側面１０１から室内機側配管１１０を導出する場合（所謂、右出しの場合）について図３を基に説明する。なお、図３では室内機１００は背面側から見た状態となっている。
【００１７】
設置者は室内機１００の背面側かつ左右方向の右端側にある室内機側配管１１０を、先端が室内機１００の右側面１０１より突出するように配置する。次に、室内機１００の左右方向が水平に据付できるように、設置者は図示しない据付板を壁に固定する。そして、設置者は室内機１００の背面にある引っ掛け部１２１、１２２を据付板の上部に引っ掛けて、室内機１００の背面と据付板が接するように配置する。その後に、設置者は室内機側配管１１０と主接続配管３１０を繋げる。
【００１８】
このように、室内機１００の右側から室内機側配管１１０を導出する場合でも、室内機側配管１１０と主接続配管３１０を容易に接続でき、室内機１００と室外機２００の間で冷媒が行来できる。
【符号の説明】
【００１９】
１０  空気調和機
１００    室内機
２００    室外機
３１０    主接続配管
３２０    補助接続配管
【図１】
2017172885.tif 000003
【図２】
2017172885.tif 000004
【図３】
2017172885.tif 000005